(57)【要約】【課題】  ランドプリピットを適切に検出できるようにする。【解決手段】  グルーブに記録されたピットが記録マークなのか空白マークなのかに基づいて、前記光ディスクの反射光から生成したプッシュプル信号を低いしきい判定を行なって生成した信号を用いてプリピット検出を行なうか、高いしきい判定を行なって生成した信号を用いてプリピット検出を行なうかを選択するようにして、隣接したグルーブによる影響を排除できるようにする。【選択図】  図１
2008276885.tif 000002
【特許請求の範囲】
【請求項１】
ウォブル（蛇行）した記録トラックであるグルーブと、前記グルーブ間のランドにプリピットが形成された光ディスクからプリピットを検出するプリピット検出装置であって、
前記グルーブに記録されたピットが記録マークなのか空白マークなのかに基づいて、前記光ディスクの反射光から生成したプッシュプル信号を低いしきい判定を行なって生成した信号を用いてプリピット検出を行なうか、高いしきい判定を行なって生成した信号を用いてプリピット検出を行なうかを選択するようにしたことを特徴とする検出装置。
【請求項２】
ウォブル（蛇行）した記録トラックであるグルーブと、前記グルーブ間のランドにプリピットが形成された光ディスクからプリピットを検出する検出装置であって、
前記光ディスクの反射光からプッシュプル信号を生成するプッシュプル信号生成手段と、
前記光ディスクの反射光から和信号を生成する和信号生成手段と、
前記プッシュプル信号を第１のしきい値で比較して２値化する第１の２値化手段と、
前記プッシュプル信号を第２のしきい値で比較して２値化する第２の２値化手段と、
前記第１の２値化手段の出力を遅延させる第１の遅延手段と、
前記第２の２値化手段の出力を遅延させる第２の遅延手段と、
前記和信号を第３のしきい値で比較してグルーブの記録マークを検出する記録マーク検出手段と、
前記記録マーク検出手段の検出結果に応じて、前記第１の遅延手段の出力または前記第２の遅延手段の出力の何れかを選択してプリピット検出信号とする選択手段とを備えたことを特徴とする検出装置。
【請求項３】
ウォブル（蛇行）した記録トラックであるグルーブと、前記グルーブ間のランドにプリピットが形成された光ディスクからプリピットを検出する検出方法であって、
前記グルーブに記録されたピットが記録マークなのか空白マークなのかに基づいて、前記光ディスクの反射光から生成したプッシュプル信号を低いしきい判定を行なって生成した信号を用いてプリピット検出を行なうか、高いしきい判定を行なって生成した信号を用いてプリピット検出を行なうかを選択するようにしたことを特徴とする検出方法。
【請求項４】
ウォブル（蛇行）した記録トラックであるグルーブと、前記グルーブ間のランドにプリピットが形成された光ディスクからプリピットを検出する検出方法であって、
前記光ディスクの反射光からプッシュプル信号を生成するプッシュプル信号生成工程と、
前記光ディスクの反射光から和信号を生成する和信号生成工程と、
前記プッシュプル信号を第１のしきい値で比較して２値化する第１の２値化工程と、
前記プッシュプル信号を第２のしきい値で比較して２値化する第２の２値化工程と、
前記第１の２値化工程の出力を遅延させる第１の遅延工程と、
前記第２の２値化工程の出力を遅延させる第２の遅延工程と、
前記和信号を第３のしきい値で比較してグルーブの記録マークを検出する記録マーク検出工程と、
前記記録マーク検出工程の検出結果に応じて、前記第１の遅延工程の出力または前記第２の遅延工程の出力の何れかを選択してプリピット検出信号とする選択工程とを備えたことを特徴とする検出方法。
【請求項５】
ウォブル（蛇行）した記録トラックであるグルーブと、前記グルーブ間のランドにプリピットが形成された光ディスクからプリピットを検出する工程をコンピュータに実行させるプログラムであって、
前記グルーブに記録されたピットが記録マークなのか空白マークなのかに基づいて、前記光ディスクの反射光から生成したプッシュプル信号を低いしきい判定を行なって生成した信号を用いてプリピット検出を行なうか、高いしきい判定を行なって生成した信号を用いてプリピット検出を行なうかを選択するようにする工程をコンピュータに実行させることを特徴とするプログラム。
【請求項６】
ウォブル（蛇行）した記録トラックであるグルーブと、前記グルーブ間のランドにプリピットが形成された光ディスクからプリピットを検出する工程をコンピュータに実行させるプログラムであって、
前記光ディスクの反射光からプッシュプル信号を生成するプッシュプル信号生成工程と、
前記光ディスクの反射光から和信号を生成する和信号生成工程と、
前記プッシュプル信号を第１のしきい値で比較して２値化する第１の２値化工程と、
前記プッシュプル信号を第２のしきい値で比較して２値化する第２の２値化工程と、
前記第１の２値化工程の出力を遅延させる第１の遅延工程と、
前記第２の２値化工程の出力を遅延させる第２の遅延工程と、
前記和信号を第３のしきい値で比較してグルーブの記録マークを検出する記録マーク検出工程と、
前記記録マーク検出工程の検出結果に応じて、前記第１の遅延工程の出力または前記第２の遅延工程の出力の何れかを選択してプリピット検出信号とする選択工程とをコンピュータに実行させることを特徴とするプログラム。
【請求項７】
請求項５または６に記載のプログラムを記憶したことを特徴とするコンピュータ読み取り可能な記憶媒体。
【発明の詳細な説明】
【技術分野】
【０００１】
本発明は検出装置及び検出方法に関する。特に、DVD−Rに代表される、情報記録トラックに関する情報であるランドプリピットが情報記録トラック間に繰り返し形成された光ディスクを記録／再生する光ディスク装置に用いて好適な技術に関する。
【背景技術】
【０００２】
近年、DVD−Rに代表される光学的記録媒体に記録・再生を行う光ディスク装置が普及してきている。このような光ディスク装置は、当初はパソコン用の据え置き装置として普及していたものの、近年ではディスクカムコーダとして動画カメラの記録媒体としてDVD−Rを用いる製品が登場しつつある。
【０００３】
DVD-Rでは、記録情報トラックであるグルーブに隣接したランドに形成されたプリピット（以下、ＬＰＰと略す）が、記録タイミングやアドレスを検出するために用いられる。そして、記録再生時には、レンズを介して光学的記録媒体へレーザービームを照射させる。そして、前記レーザービームの反射光を検出することによりＬＰＰの有無を検出し、アドレス情報の読み出しやタイミング信号の検出が行われている。
【０００４】
ＬＰＰを検出するための方法として、例えば、レーザービームの反射光のレベルをしきい値と比較することによりＬＰＰを検出する方法が考えられている。この様に、ＬＰＰを検出する際の２値化しきい値を適応的に調整し、ＬＰＰ信号の検出を行う方法が、例えば、特許文献１に開示されている。特許文献１に記載されているプリピット検出装置では、ＬＰＰによるアドレスが確定する前には、１セクタ内でのＬＰＰ数が１４個以上２７個以下になるようにしきい値を制御している。そして、アドレスが確定した後には、予測されるＬＰＰ数になるようにしきい値を制御している。
【０００５】
【特許文献１】特開２００４−３３５０４０号公報
【発明の開示】
【発明が解決しようとする課題】
【０００６】
ところで、ＬＰＰはグルーブに隣接したランド上に形成されており、グルーブが記録済みか未記録かによって、ＬＰＰの検出振幅は大きく変動する。しかしながら、特許文献１では、１セクタという大域的にしきい値を制御しており、隣接したグルーブによる影響を直接的に排除することはできなかった。このため、ランドプリピットを適切に検出することができずに誤ったＬＰＰ検出を行なってしまう場合があった。
【０００７】
本発明は上述の問題点に鑑み、隣接したグルーブによる影響を排除してランドプリピットを適切に検出できるようにすることを目的としている。
【課題を解決するための手段】
【０００８】
本発明の検出装置は、ウォブル（蛇行）した記録トラックであるグルーブと、前記グルーブ間のランドにプリピットが形成された光ディスクからプリピットを検出する検出装置であって、前記グルーブに記録されたピットが記録マークなのか空白マークなのかに基づいて、前記光ディスクの反射光から生成したプッシュプル信号を低いしきい判定を行なって生成した信号を用いてプリピット検出を行なうか、高いしきい判定を行なって生成した信号を用いてプリピット検出を行なうかを選択するようにしたことを特徴とする。
また、本発明の検出装置の他の特徴とするところは、ウォブル（蛇行）した記録トラックであるグルーブと、前記グルーブ間のランドにプリピットが形成された光ディスクからプリピットを検出する検出装置であって、前記光ディスクの反射光からプッシュプル信号を生成するプッシュプル信号生成手段と、前記光ディスクの反射光から和信号を生成する和信号生成手段と、前記プッシュプル信号を第１のしきい値で比較して２値化する第１の２値化手段と、前記プッシュプル信号を第２のしきい値で比較して２値化する第２の２値化手段と、前記第１の２値化手段の出力を遅延させる第１の遅延手段と、前記第２の２値化手段の出力を遅延させる第２の遅延手段と、前記和信号を第３のしきい値で比較してグルーブの記録マークを検出する記録マーク検出手段と、前記記録マーク検出手段の検出結果に応じて、前記第１の遅延手段の出力または前記第２の遅延手段の出力の何れかを選択してプリピット検出信号とする選択手段とを備えたことを特徴とする。
【０００９】
本発明の検出方法は、ウォブル（蛇行）した記録トラックであるグルーブと、前記グルーブ間のランドにプリピットが形成された光ディスクからプリピットを検出する検出方法であって、前記グルーブに記録されたピットが記録マークなのか空白マークなのかに基づいて、前記光ディスクの反射光から生成したプッシュプル信号を低いしきい判定を行なって生成した信号を用いてプリピット検出を行なうか、高いしきい判定を行なって生成した信号を用いてプリピット検出を行なうかを選択するようにしたことを特徴とする。
また、本発明の検出方法の他の特徴とするところは、ウォブル（蛇行）した記録トラックであるグルーブと、前記グルーブ間のランドにプリピットが形成された光ディスクからプリピットを検出する検出方法であって、前記光ディスクの反射光からプッシュプル信号を生成するプッシュプル信号生成工程と、前記光ディスクの反射光から和信号を生成する和信号生成工程と、前記プッシュプル信号を第１のしきい値で比較して２値化する第１の２値化工程と、前記プッシュプル信号を第２のしきい値で比較して２値化する第２の２値化工程と、前記第１の２値化工程の出力を遅延させる第１の遅延工程と、前記第２の２値化工程の出力を遅延させる第２の遅延工程と、前記和信号を第３のしきい値で比較してグルーブの記録マークを検出する記録マーク検出工程と、前記記録マーク検出工程の検出結果に応じて、前記第１の遅延工程の出力または前記第２の遅延工程の出力の何れかを選択してプリピット検出信号とする選択工程とを備えたことを特徴とする。
【００１０】
本発明のプログラムは、ウォブル（蛇行）した記録トラックであるグルーブと、前記グルーブ間のランドにプリピットが形成された光ディスクからプリピットを検出する工程をコンピュータに実行させるプログラムであって、前記グルーブに記録されたピットが記録マークなのか空白マークなのかに基づいて、前記光ディスクの反射光から生成したプッシュプル信号を低いしきい判定を行なって生成した信号を用いてプリピット検出を行なうか、高いしきい判定を行なって生成した信号を用いてプリピット検出を行なうかを選択するようにする工程をコンピュータに実行させることを特徴とする。
また、本発明のプログラムの他の特徴とするところは、ウォブル（蛇行）した記録トラックであるグルーブと、前記グルーブ間のランドにプリピットが形成された光ディスクからプリピットを検出する工程をコンピュータに実行させるプログラムであって、前記光ディスクの反射光からプッシュプル信号を生成するプッシュプル信号生成工程と、前記光ディスクの反射光から和信号を生成する和信号生成工程と、前記プッシュプル信号を第１のしきい値で比較して２値化する第１の２値化工程と、前記プッシュプル信号を第２のしきい値で比較して２値化する第２の２値化工程と、前記第１の２値化工程の出力を遅延させる第１の遅延工程と、前記第２の２値化工程の出力を遅延させる第２の遅延工程と、前記和信号を第３のしきい値で比較してグルーブの記録マークを検出する記録マーク検出工程と、前記記録マーク検出工程の検出結果に応じて、前記第１の遅延工程の出力または前記第２の遅延工程の出力の何れかを選択してプリピット検出信号とする選択工程とをコンピュータに実行させることを特徴とする。
【発明の効果】
【００１１】
本発明によれば、グルーブに記録されたピットが記録マークなのか空白マークなのかに基づいて、光ディスクの反射光から生成したプッシュプル信号を低いしきい判定を行なって生成した信号を用いてプリピット検出を行なう。または、高いしきい判定を行なって生成した信号を用いてプリピット検出を行なうかを選択するようにした。これにより、隣接したグルーブによる影響を排除することが可能となり、ランドプリピットを適切に検出することができる。
【発明を実施するための最良の形態】
【００１２】
（第１の実施の形態）
以下、図面に基づき本発明の実施形態について説明する。
図２は、記録ディスクと受光センサの物理的配置の一例を説明する図である。図１に示したように、受光センサ１は、光ディスクの反射光を受光して電気信号に変化する素子であり、その受光面は４分割されている。具体的には、図２に示すように記録トラックであるグルーブに対する接線方向と、グルーブに対して垂直方向とによって４分割されている。グルーブとグルーブの間、すなわち、グルーブ間のランドにはランドプリピットＬＰＰが構成されている。
【００１３】
図３は、記録データとウォブル信号とを示した図である。記録データは８−１６変調されている。すなわち、８ビットのワードが１６ビットのワードに変調されている。図３において、４１、４３、４５は同期信号であり、１４Tのピットが存在する。４２、４４、４６はデータ領域であり、３T〜１１Tのピットが存在する。同期信号と記録データとで一つの記録フレームを構成する。
【００１４】
記録トラックであるグルーブは、ウォブル（蛇行）しており、光スポットと情報トラックとの相対位置を示すプッシュプル信号（プッシュプルＰＰ信号）が検出される。記録時には、グルーブに埋め込まれたＬＰＰに基づいて同期信号を記録し、続いて記録データを記録する。したがって、再生時には同期信号４１、４３、４５の位置にＬＰＰが存在することになる。
【００１５】
記録ピットはNRZI記録されている。NRZI記録においては、信号１で磁化反転、信号０では磁化反転しないようにしている。これにより、同じ１４Tの同期信号であっても、記録マークが形成されている場合（図４（Ａ）の場合）と、記録マークが形成されていない空白マークの場合（図４（Ｂ）の場合）とがある。
【００１６】
図４（Ａ）において、５０、４１は記録マークであり、５１及び５３は空白マークであり、４１は図３の同期信号４１にあたる。ランドに形成されているＬＰＰ５４に隣接したグルーブが記録マーク４１になるので、図５（Ａ）に示したように、プッシュプル信号でのＬＰＰ成分の振幅は小さくなる。
【００１７】
一方、図４（Ｂ）において、６１、６３は記録マーク、６０及び４３は空白マークであり、４３は図３の同期信号４３にあたる。この場合、ＬＰＰ６４に隣接したグルーブは空白マーク４３になるので、図５（Ｂ）のように、プッシュプル信号でのＬＰＰ成分の振幅は大きくなる。
【００１８】
図１は、本発明の検出装置の実施形態を説明するブロック図である。
受光センサ１の（Ａ＋Ｃ）の出力が第１の加算器２で加算され、第１のバッファ４で増幅される。同様に、受光センサ１の（Ｂ＋Ｄ）の出力が第２の加算器３で加算され、第２のバッファ５で増幅される。次に、第３の加算器６で第１のバッファ４と第２のバッファ５の出力が加算され、「（Ａ＋Ｃ）＋（Ｂ＋Ｄ）」となる和信号（ＲＦ信号）が生成される。すなわち、第３の加算器６は和信号生成手段として機能する。
【００１９】
次に、生成された和信号（ＲＦ信号）を第３の２値化回路８において所定のしきい値で比較して２値判定し、記録マークが形成されているか否かを判定して記録マーク検出を行ない、この記録マークの検出結果に応じたＳＥＬ信号（セレクト信号）を出力する。第４の加算器７は、第１のバッファ４の出力から第２のバッファ５の出力を減算することにより、「（Ａ＋Ｃ）−（Ｂ＋Ｄ）」となるプッシュプル信号を生成する。すなわち、第４の加算器７は、プッシュプル信号生成手段として機能する。
【００２０】
このようにして生成されたプッシュプル信号は、第１の２値化回路９、第２の２値化回路１０に送出される。第１の２値化回路９は、グルーブに記録マークがある場合に使用される回路であり、図５（Ａ）のように、低いしきい判定を行なう回路として用いられる。
【００２１】
記録マークとＳＥＬ信号の関係は、図４（Ａ）及び図４（Ｂ）のようになる。第１の２値化回路９の出力は第１のシフトレジスタ１２で遅延されてセレクタ１４に供給される。本実施形態においては、第１のシフトレジスタ１２は第１の遅延手段として機能する。
【００２２】
第２の２値化回路１０は、グルーブに記録マークがない場合に使用される回路であり、図５（Ｂ）のように、高いしきい判定を行なう回路として用いられる。第２の２値化回路１０の出力は第２のシフトレジスタ１３で遅延されてセレクタ１４に供給される。
【００２３】
セレクタ１４は、ＳＥＬ信号に基づいて、第１のシフトレジスタ１２と第２のシフトレジスタ１３の出力のうち、何れか一方の出力をプリピット検出信号として選択して、ＬＰＰタイミング検出部１６に供給する。
【００２４】
ＬＰＰタイミング検出部１６は、セレクタ１４から入力される信号に基づいてＬＰＰタイミング信号を生成する。このようにして生成されたＬＰＰタイミング信号に同期して、データが記録／再生される。第１のシフトレジスタ１２、第２のシフトレジスタ１３は第３の２値化回路８での遅延分を調整するためのものである。したがって、本実施形態において、第２のシフトレジスタ１３は第２の遅延手段として機能する。
【００２５】
以上述べたように、本実施形態においてはグルーブに記録されたピットが記録マークなのか空白マークなのか否かに基づいて、ＬＰＰの検出結果を切り替えてＬＰＰタイミング検出部１６に供給するようにした。これにより、ＬＰＰタイミング検出部１６においてタイミングを検出するのに好適なＬＰＰ検出信号を生成することができる。また、隣接したグルーブによる影響を排除することが可能となり、ＬＰＰ検出を正確に行なうことができる。
【００２６】
次に、図６を参照しながら本実施形態のプリピット検出装置が用いられる光ディスク装置の一例を説明する。
図６は、本実施形態のプリピット検出装置を備えた光ディスク装置の構成例を示すブロック図である。
図６に示す光ディスク装置１０１は、光ディスク１０２としてＤＶＤ−Ｒ／ＲＷを使用して、その光ディスク１０２に情報を記録／再生するＤＶＤ−Ｒ／ＲＷドライブ装置である。そして、光ピックアップ１０３、再生回路１０４、デコーダ１０５、マイクロコンピュータ（図ではＣＰＵ）１０６、エンコーダ１０７、レーザ制御回路１０８、演算回路１０９、サーボ回路１１０を備えている。また、クロック生成回路１１１、ウォブル検出回路１１２、プリピット（ＬＰＰ）検出装置１１３、アドレスデコーダ１１４、及び光ディスク１０２を回転させるモータ１１５を備えている。
【００２７】
マイクロコンピュータ（以下「ＣＰＵ」と略称する）１０６は、中央処理装置とプログラムメモリであるＲＯＭ及びデータメモリであるＲＡＭ等からなり、この光ディスク装置１０１の各部を統括制御する。
【００２８】
光ピックアップ１０３は、半導体レーザ等のレーザ光源と、そのレーザ光源が発するレーザ光を集光して光ディスク１０２にスポット光を照射する。また、光ディスク１０２からの反射光を分離するための、コリメータレンズと集光レンズ及びビームスプリッタ等からなる光学系と、その反射光を受光して電気信号（再生信号）に変換する受光手段である受光素子等によって構成されている。この光ピックアップ１０３は、図示を省略しているトラッキング用モータと直線送り機構によって、光ディスク１０２の径方向に移動可能である。
【００２９】
このように構成された光ディスク装置１０１において、情報記録時には、記録すべき情報が外部のホスト装置からＣＰＵ１０６を介してエンコーダ１０７に送られ、エンコーダ１０７はデータフォーマットを変換する。そして、レーザ制御回路１０８が情報ビットに応じて光ピックアップ１０３に搭載されたレーザ光源の発光制御を行なうことにより、記録用のスポット光による光ディスク１０２上への記録動作が行なわれる。
【００３０】
再生時には、光ピックアップ１０３は、光ディスク１０２上にレーザ光による再生用のスポット光を照射し、その反射光を受光素子で検出し、再生回路１０４がその検出された再生信号に対してフィルタリングとデジタル化を行なう。そして、デコーダ１０５がこの再生回路１０４で生成されたデータのフォーマットを変換し、ＣＰＵ１０６がその再生情報を図示しない外部のホスト装置へ送る。
【００３１】
光ピックアップ１０３に設けられた受光素子は前述したように、光ディスク１０２のトラックの幅方向及び長さ方向に４分割された構成となっている。そして、この受光素子の４つの受光領域によってそれぞれ検出される４つの信号から、演算回路１０９によってサーボ信号を生成する。そして、サーボ回路１１０がこのサーボ信号に従って前述したトラッキング用モータを駆動制御して、光ピックアップ１０３のトラッキング位置の制御を行なう。また、サーボ回路１１０は、クロック生成回路１１１から出力されるクロック信号に基づいて、光ディスク１０２を回転させるモータ１１５の回転制御も行なっている。
【００３２】
また、受光素子の４つの受光領域によってそれぞれ検出される各信号は、プリピット検出装置１１３及び演算回路１０９に送られる。そして、演算回路１０９によって演算されてウォブル検出回路１１２に送られる。さらに、ウォブル検出回路１１２によって検出さるたウォブルクロックに基づいて、クロック生成回路１１１が光ディスク１０２の回転に追従した正確なクロック信号を生成する。
【００３３】
また、プリピット検出装置１１３は、前述したように受光センサ１の出力信号から物理アドレス情報を含むプリピット信号を検出する。そして、アドレスデコーダ１１４がそれをアドレス情報に変換し、そのときの光ピックアップ１０３による光ディスク１０２のアクセス位置のアドレス情報を得る。
【００３４】
ウォブル検出回路１１２は、ウォブル信号抽出回路と、オペアンプによるウォブルコンパレータを備えており、プッシュプル信号をウォブル信号抽出回路へ入力することによってウォブル信号の成分を抽出する。そして、このウォブル信号をウォブルコンパレータにより２値化することによってウォブルクロックを出力する。
【００３５】
図６に示したクロック生成回路１１１では、内部ＰＬＬ回路によりこのウォブルクロックに基づいて、エンコーダ１０７に対するクロックの生成と、サーボ回路１１０に対するクロックの生成を行ない、光ディスク１０２上に一定の線速度でデータを記録させる。
【００３６】
また、所望のディスク位置で記録を開始するためには位置情報が必要であり、ＬＰＰはアドレス情報を検出するための基準となっている。プリピット検出装置１１３は、前述したように、プッシュプル信号中でウォブル信号に重畳されているプリピット信号の成分を、適正なスライスレベルで２値化することによってプリピット信号を検出する回路である。本実施形態のプリピット検出装置は、隣接したグルーブによる影響を排除して正確なＬＰＰ検出を行なうことができるので、光ディスク１０２の所望のトラックへ正確にアクセスすることが可能となる。
【００３７】
（本発明に係る他の実施の形態）
前述した本発明の実施の形態におけるプリピット検出装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３８】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００３９】
なお、本発明は、前述した実施の形態の機能を実現するソフトウェアのプログラムを、システムあるいは装置に直接、あるいは遠隔から供給する。そして、そのシステムあるいは装置のコンピュータが前記供給されたプログラムコードを読み出して実行することによっても達成される場合を含む。
【００４０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４１】
その場合、プログラムの機能を有していれば、オブジェクトコード、インタプリタにより実行されるプログラム、ＯＳに供給するスクリプトデータ等の形態であってもよい。
【００４２】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４３】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００４４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせル。そして、その鍵情報を使用することにより暗号化されたプログラムを実行してコンピュータにインストールさせて実現することも可能である。
【００４６】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００４７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【００４８】
さらに、記憶媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４９】
【図１】実施形態を示し、プリピット検出装置の構成例を説明するブロック図である。
【図２】記録ディスクと受光センサの物理的配置の一例を説明する図である。
【図３】記録データとウォブルとの関係を説明する図である。
【図４】記録データとＬＰＰの関係とを説明する図である。
【図５】プッシュプル信号におけるＬＰＰ成分の振幅を説明する図である。
【図６】実施形態のプリピット検出装置を使用した光ディスク装置の一例を説明するブロック図である。
【符号の説明】
【００５０】
１  受光センサ
２  第１の加算器
３  第２の加算器
４  第１のバッファ
５  第２のバッファ
６  第３の加算器
７  第４の加算器
８  第３の２値化回路
９  第１の２値化回路
１０  第２の２値化回路
１２  第１のシフトレジスタ
１３  第２のシフトレジスタ
１４  セレクタ
１６  ＬＰＰタイミング検出部
【図１】
2008276885.tif 000003
【図２】
2008276885.tif 000004
【図３】
2008276885.tif 000005
【図４】
2008276885.tif 000006
【図５】
2008276885.tif 000007
【図６】
2008276885.tif 000008